(57)【特許請求の範囲】
【請求項１】
第１情報処理装置と、第２情報処理装置とを含み、
前記第１情報処理装置が、
動作に関わる設定情報を記憶する設定記憶手段と、
前記記憶されている設定情報について、利用者が動作確認して外部に提供可能であるか否かを設定した、設定複写可否情報を記憶する可否情報記憶手段と、
前記第２情報処理装置から設定複写可否情報の要求を受け入れて、前記記憶している設定複写可否情報を送信する可否情報送信手段と、
前記記憶している設定複写可否情報により外部に提供可能とされている設定情報の要求を受けて、要求された設定情報を送出する設定情報送出手段と、
を含み、
第２情報処理装置は、
前記第１情報処理装置に対して設定複写可否情報の要求を送信する可否情報要求送信手段と、
前記要求に応答して送信される設定複写可否情報を受信し、当該受信した設定複写可否情報により外部に提供可能とされている設定情報の要求を送信する設定情報要求送信手段と、
前記要求した設定情報を第１情報処理装置から受信し、動作に関わる設定情報として記憶する手段と、
を含む
ことを特徴とする情報処理システム。
【請求項２】
動作に関わる設定情報を記憶する設定記憶手段と、
前記記憶されている設定情報について、利用者が動作確認して外部に提供可能であるか否かを設定した、設定複写可否情報を記憶する可否情報記憶手段と、
他の情報処理装置から設定複写可否情報の要求を受け入れて、前記記憶している設定複写可否情報を送信する可否情報送信手段と、
前記記憶している設定複写可否情報により外部に提供可能とされている設定情報の要求を受けて、要求された設定情報を送出する設定情報送出手段と、
を含むことを特徴とする情報処理装置。
【請求項３】
前記設定情報は、複数の設定項目に関わる項目毎情報を含み、
前記設定複写可否情報は、前記項目毎情報ごとに、外部への提供可否を表す情報であり、
前記設定情報送出手段は、項目毎情報のうち、前記設定複写可否情報により外部への提供が可能となっている項目毎情報の少なくとも一部を送出することを特徴とする請求項２記載の情報処理装置。
【請求項４】
他の情報処理装置を対象装置として、当該対象装置に対し、当該対象装置において記憶されている設定情報について、その設定項目ごとに、利用者が外部に提供可能であるか否かを設定した、設定複写可否情報の要求を送信する可否情報要求送信手段と、
設定項目ごとに、複写するか否かを定める情報を保持する手段と、
前記要求に応答して送信される設定複写可否情報を受信し、前記複写するか否かを定める情報により複写すると設定された設定項目であって、前記対象装置において記憶されている設定情報のうち、当該受信した設定複写可否情報により外部に提供可能とされている設定項目に係る項目毎情報の要求を送信する項目毎情報要求送信手段と、
前記要求した項目毎情報を前記対象装置から受信し、動作に関わる設定情報の一部として記憶する手段と、
前記複写すると設定された設定項目に係る項目毎情報のすべてが記憶されていない場合に、前記可否情報要求送信手段と、項目毎情報要求送信手段とを制御し、未だ対象装置とされていない、さらに他の情報処理装置を対象装置として、当該対象装置において外部に提供可能とされている項目毎情報を取得する手段と、
を含むことを特徴とする情報処理装置。
【請求項５】
前記対象装置とする他の情報処理装置は、予め定めた機種に関わる条件を満足する情報処理装置から選択することを特徴とする請求項４記載の情報処理装置。
【請求項６】
コンピュータを、
動作に関わる設定情報を記憶する設定記憶手段と、
前記記憶されている設定情報について、利用者が動作確認して外部に提供可能であるか否かを設定した、設定複写可否情報を記憶する可否情報記憶手段と、
他の情報処理装置から設定複写可否情報の要求を受け入れて、前記記憶している設定複写可否情報を送信する可否情報送信手段と、
前記記憶している設定複写可否情報により外部に提供可能とされている設定情報の要求を受けて、要求された設定情報を送出する設定情報送出手段と、
として機能させることを特徴とするプログラム。
【請求項７】
コンピュータを、他の情報処理装置を対象装置として、当該対象装置に対し、当該対象装置において記憶されている設定情報について、その設定項目ごとに、利用者が外部に提供可能であるか否かを設定した、設定複写可否情報の要求を送信する可否情報要求送信手段と、
設定項目ごとに、複写するか否かを定める情報を保持する手段と、
前記要求に応答して送信される設定複写可否情報を受信し、前記複写するか否かを定める情報により複写すると設定された設定項目であって、前記対象装置において記憶されている設定情報のうち、当該受信した設定複写可否情報により外部に提供可能とされている設定項目に係る項目毎情報の要求を送信する項目毎情報要求送信手段と、
前記要求した項目毎情報を前記対象装置から受信し、動作に関わる設定情報の一部として記憶する手段と、
前記複写すると設定された設定項目に係る項目毎情報のすべてが記憶されていない場合に、前記可否情報要求送信手段と、項目毎情報要求送信手段とを制御し、未だ対象装置とされていない、さらに他の情報処理装置を対象装置として、当該対象装置において外部に提供可能とされている項目毎情報を取得する手段と、
として機能させることを特徴とするプログラム。
【発明の詳細な説明】
【技術分野】
【０００１】
本発明は、情報処理システム、情報処理装置、及びプログラムに関する。
【背景技術】
【０００２】
情報処理用の複数の電子機器から該電子機器の稼動情報をネットワークを介して収集する収集装置と、該収集装置にて収集された稼動情報をネットワークを介して取得して管理する管理装置とを有する遠隔管理システムであって、収集装置が、複数の電子機器に係る初期設定が行われたか否かに応じて設置完了通知を通知可能にするか否かを切り分ける技術がある（特許文献１）。
【特許文献１】特開２００４−２２０２１０号公報
【発明の開示】
【発明が解決しようとする課題】
【０００３】
設定情報の提供・取得を、情報処理装置間で行うこと。
【課題を解決するための手段】
【０００４】
請求項１記載の発明は、第１情報処理装置と、第２情報処理装置とを含む情報処理システムであって、前記第１情報処理装置が、動作に関わる設定情報を記憶する設定記憶手段と、前記記憶されている設定情報について、利用者が動作確認して外部に提供可能であるか否かを設定した、設定複写可否情報を記憶する可否情報記憶手段と、前記第２情報処理装置から設定複写可否情報の要求を受け入れて、前記記憶している設定複写可否情報を送信する可否情報送信手段と、前記記憶している設定複写可否情報により外部に提供可能とされている設定情報の要求を受けて、要求された設定情報を送出する設定情報送出手段と、を含み、第２情報処理装置は、前記第１情報処理装置に対して設定複写可否情報の要求を送信する可否情報要求送信手段と、前記要求に応答して送信される設定複写可否情報を受信し、当該受信した設定複写可否情報により外部に提供可能とされている設定情報の要求を送信する設定情報要求送信手段と、前記要求した設定情報を第１情報処理装置から受信し、動作に関わる設定情報として記憶する手段と、を含むこととしたものである。
【０００５】
請求項２記載の発明は、情報処理装置であって、動作に関わる設定情報を記憶する設定記憶手段と、前記記憶されている設定情報について、利用者が動作確認して外部に提供可能であるか否かを設定した、設定複写可否情報を記憶する可否情報記憶手段と、他の情報処理装置から設定複写可否情報の要求を受け入れて、前記記憶している設定複写可否情報を送信する可否情報送信手段と、前記記憶している設定複写可否情報により外部に提供可能とされている設定情報の要求を受けて、要求された設定情報を送出する設定情報送出手段と、を含むこととしたものである。
【０００６】
請求項３記載の発明は、請求項２記載の情報処理装置であって、前記設定情報は、複数の設定項目に関わる項目毎情報を含み、前記設定複写可否情報は、前記項目毎情報ごとに、外部への提供可否を表す情報であり、前記設定情報送出手段は、項目毎情報のうち、前記設定複写可否情報により外部への提供が可能となっている項目毎情報の少なくとも一部を送出することとしたものである。
【０００７】
請求項４記載の発明は、情報処理装置であって、他の情報処理装置を対象装置として、当該対象装置に対し、当該対象装置において記憶されている設定情報について、その設定項目ごとに、利用者が外部に提供可能であるか否かを設定した、設定複写可否情報の要求を送信する可否情報要求送信手段と、設定項目ごとに、複写するか否かを定める情報を保持する手段と、前記要求に応答して送信される設定複写可否情報を受信し、前記複写するか否かを定める情報により複写すると設定された設定項目であって、前記対象装置において記憶されている設定情報のうち、当該受信した設定複写可否情報により外部に提供可能とされている設定項目に係る項目毎情報の要求を送信する項目毎情報要求送信手段と、前記要求した項目毎情報を前記対象装置から受信し、動作に関わる設定情報の一部として記憶する手段と、前記複写すると設定された設定項目に係る項目毎情報のすべてが記憶されていない場合に、前記可否情報要求送信手段と、項目毎情報要求送信手段とを制御し、未だ対象装置とされていない、さらに他の情報処理装置を対象装置として、当該対象装置において外部に提供可能とされている項目毎情報を取得する手段と、を含むこととしたものである。
【０００８】
請求項５記載の発明は、請求項４記載の情報処理装置であって、前記対象装置とする他の情報処理装置は、予め定めた機種に関わる条件を満足する情報処理装置から選択することとしたものである。
【０００９】
請求項６記載の発明は、プログラムであって、コンピュータを、動作に関わる設定情報を記憶する設定記憶手段と、前記記憶されている設定情報について、利用者が動作確認して外部に提供可能であるか否かを設定した、設定複写可否情報を記憶する可否情報記憶手段と、他の情報処理装置から設定複写可否情報の要求を受け入れて、前記記憶している設定複写可否情報を送信する可否情報送信手段と、前記記憶している設定複写可否情報により外部に提供可能とされている設定情報の要求を受けて、要求された設定情報を送出する設定情報送出手段と、として機能させることとしたものである。
【００１０】
請求項７記載の発明は、プログラムであって、コンピュータを、他の情報処理装置を対象装置として、当該対象装置に対し、当該対象装置において記憶されている設定情報について、その設定項目ごとに、利用者が外部に提供可能であるか否かを設定した、設定複写可否情報の要求を送信する可否情報要求送信手段と、設定項目ごとに、複写するか否かを定める情報を保持する手段と、前記要求に応答して送信される設定複写可否情報を受信し、前記複写するか否かを定める情報により複写すると設定された設定項目であって、前記対象装置において記憶されている設定情報のうち、当該受信した設定複写可否情報により外部に提供可能とされている設定項目に係る項目毎情報の要求を送信する項目毎情報要求送信手段と、前記要求した項目毎情報を前記対象装置から受信し、動作に関わる設定情報の一部として記憶する手段と、前記複写すると設定された設定項目に係る項目毎情報のすべてが記憶されていない場合に、前記可否情報要求送信手段と、項目毎情報要求送信手段とを制御し、未だ対象装置とされていない、さらに他の情報処理装置を対象装置として、当該対象装置において外部に提供可能とされている項目毎情報を取得する手段と、として機能させることとしたものである。
【発明の効果】
【００１１】
請求項１記載の発明によると、提供可能な設定情報の提供・取得を、情報処理装置間で行うことができる。
【００１２】
請求項２，６記載の発明によると、提供可能とされた設定情報の提供を、他の情報処理装置に対して行うことができる。
【００１３】
請求項３記載の発明によると、提供可能とする設定情報を項目毎に定めることができる。
【００１４】
請求項４，７記載の発明によると、提供可能とされた設定情報の取得を、他の情報処理装置から行うことができる。
【００１５】
請求項５記載の発明によると、情報処理装置の機種ごとの相違に配慮できる。
【発明を実施するための最良の形態】
【００１６】
本発明の実施の形態について図面を参照しながら説明する。本実施の形態に係る情報処理システムは、図１に例示するように、複数の情報処理装置１ａ，１ｂ，１ｃ…を含む。また、各情報処理装置１は、制御部１１，記憶部１２，操作部１３，表示部１４，通信部１５，インタフェース部１６，及び機能部１７を含んで構成される。
【００１７】
ここで制御部１１は、ＣＰＵ（Central Processing Unit）等のプログラム制御デバイスであり、記憶部１２に格納されたプログラムに従って動作している。本実施の形態においては、記憶部１２に格納した設定情報に基づいて、画像形成の処理を行う。また、設定情報について他の情報処理装置への提供の可否を表すステータス情報を保持し、提供可とされた設定情報の少なくとも一部について、要求に応じて他の情報処理装置へ提供する。また、この制御部１１は、他の情報処理装置において提供可とされた設定情報の少なくとも一部を取得して、記憶する処理を行う。これらの制御部１１による処理の詳しい内容については、後に述べる。
【００１８】
記憶部１２は、ＲＡＭ（Random Access Memory）等の記憶素子を含み、制御部１１によって実行されるプログラムを保持している。このプログラムは、ＤＶＤ−ＲＯＭ（Digital Versatile Disc-Read Only Memory）等、コンピュータ可読な記録媒体に格納されて提供され、この記憶部１２に複写されたものであってもよい。また、この記憶部１２は、制御部１１が画像形成の処理を行うための設定情報を保持する。ここで設定情報は、一般に複数の設定項目ごとの情報（項目毎情報）を含む。例えば、何ら指定のない場合の用紙サイズや、画質に関する設定などについて、それぞれ項目毎情報が記憶される（図２）。
【００１９】
さらに記憶部１２は、設定情報を他の情報処理装置に対して提供可能であるか否かを表すステータス情報が保持される。このステータス情報は、例えば項目毎情報の個々（設定項目ごと）に設定されてもよい（図３）。
【００２０】
操作部１３は、例えばテンキーなどを含む。この操作部１３は、利用者からの指示操作の入力を受けて、その内容を制御部１１に対して出力する。表示部１４は、例えば液晶ディスプレイ等であり、制御部１１から入力される指示に従って、情報を表示出力する。
【００２１】
通信部１５は、例えばネットワークインタフェースなどであり、ネットワーク等の通信手段を介して情報を送受する。この通信部１５は、制御部１１から入力される指示に従って、指定された宛先に対して情報を送信する。また、この通信部１５は、通信手段を介して到来する情報を受信して制御部１１に出力する。
【００２２】
インタフェース部１６は、機能部１７に接続され、制御部１１から入力される機能部１７への指示を、機能部１７へ出力する。また、このインタフェース部１６は、機能部１７から入力される情報を制御部１１に出力する。機能部１７は、例えばスキャナやプリンタなどの画像処理、画像形成に関わる装置、その他、本実施の形態の情報処理装置１が予定されている機能を提供するための装置である。以下の説明では、この機能部１７は、スキャナ機能や、印刷機能、複写機としての機能など、複合的な機能を提供するための装置であるものとする。具体的には、スキャナ、プリンタを含む。
【００２３】
次に本実施の形態の制御部１１の動作について説明する。本実施の形態においては、既にユーザーの利用形態、環境に合わせた設定が行われた情報処理装置１における制御部１１と、ユーザーの利用形態、環境に合わせた設定が行われていない情報処理装置１における制御部１１とがあり、それぞれにおいて処理の内容が異なるので、以下では分けて説明する。
【００２４】
まず、ユーザーの利用形態、環境に合わせた設定が完了している情報処理装置１ａの制御部１１の動作について述べる。この制御部１１は、利用者から例えば複写の指示が行われると、記憶部１２に格納された設定情報のうち、複写に関わる項目毎情報を読み出す。そして、当該読み出した設定と、利用者から行われた指示とに従い、機能部１７であるスキャナと、プリンタとを制御して、スキャナにて読み取った画像を処理し、プリンタへ出力して印刷させる。
【００２５】
制御部１１は、利用者からの利用形態、環境に合わせた設定を完了したという指示を受け、設定および動作確認が行われたことを表す情報（ステータス情報）を記憶部１２に格納する。このステータス情報は、当初「未設定」と設定され、設定および動作確認がされると「設定複写可能」と設定されるものとすればよい。このステータス情報は、項目毎情報ごとに設定可能となっていてもよい。
【００２６】
制御部１１は、さらに、他の情報処理装置１からステータス情報の要求を受け入れる。ステータス情報の要求を受けた制御部１１は、記憶部１２に保持されているステータス情報を、要求元の情報処理装置１へ送信するよう、通信部１５に指示する。
【００２７】
また制御部１１は、記憶部１２に保持されたステータス情報により外部に提供可能とされている設定情報の要求を受けると、当該要求された設定情報を記憶部１２から読み出して、当該読み出した設定情報を要求元の情報処理装置１へ送出するよう、通信部１５に指示する。ここで、ステータス情報が項目毎情報ごとに設定可能となっている場合は、制御部１１は、項目毎情報のうち、ステータス情報により外部への提供が可能となっている項目毎情報の少なくとも一部、要求に係る項目毎情報を送出することとしてもよい。
【００２８】
一方、ユーザーの利用形態、環境に合わせた設定が行われていない情報処理装置１における制御部１１は、次のように動作する（なお、以下の説明では、設定情報が複数の設定項目ごとの項目毎情報を含み、ステータス情報もまた、項目毎情報ごとに設定されているものとする）。制御部１１は、まず、ステータス情報を「未設定」に設定する。ここでステータス情報が項目毎情報ごとにある場合は、それぞれを「未設定」とすればよい。
【００２９】
制御部１１は指示により、またはステータス情報が「未設定」である場合（項目毎情報ごとに設定される場合、「未設定」のものがある場合や、指定された項目毎情報に係るステータス情報が「未設定」である場合など、予め指定された条件にある場合）、図４に例示する処理を開始し、他の情報処理装置１を探索する。
【００３０】
この探索は、例えば通信部１５が接続される通信手段が、例えばＴＣＰ／ＩＰ（Transmission Control Protocol/Internet Protocol）ネットワークであれば、情報処理装置１の応答を要求するブロードキャスト信号を送出するものであってもよい。この場合、情報処理装置１の制御部１１は、予め応答を要求するブロードキャスト信号を受信すると、自己のＩＰアドレスを通知するパケットを、ブロードキャスト信号の送信元へ送信するようにしておく。また、制御部１１が他の情報処理装置１を探索するのではなく、利用者が予め設定が完了している他の情報処理装置１のネットワークアドレスのリストを入力しておいても構わない。
【００３１】
いずれの場合も、制御部１１は、設定情報の取得元の候補となる他の情報処理装置１のネットワークアドレスのリストを取得する（Ｓ１）。
【００３２】
制御部１１は、他の情報処理装置１のネットワークアドレスのリストに、少なくとも一つの他の情報処理装置１が含まれているか否か（設定情報の取得元となり得る装置があるか否か）を判断し（Ｓ２）、他の情報処理装置１が含まれていなければ（Noならば）、処理を終了する。ここでは処理を終了するだけでなく、例えば「設定ができませんでした」のようなエラーを報知してもよい。
【００３３】
一方、処理Ｓ２において、他の情報処理装置１が含まれていれば（Yesならば）、制御部１１は、そのうち一つを対象装置として選択する（Ｓ３）。そして制御部１１は、対象装置に対してステータス情報を要求する（Ｓ４）。ステータス情報が受信されると制御部１１は、対象装置において、すべての項目毎情報についてのステータス情報が、外部に提供可能であることを表すものとなっているか否か（すべての項目毎情報が複写可能か否か）を判断する（Ｓ５）。ここですべての項目毎情報が複写可能であれば（Yesならば）、制御部１１は、選択した対象装置に対してすべての項目毎情報を要求する（Ｓ６）。
【００３４】
制御部１１は、項目毎情報が受信されると、当該受信した項目毎情報を、記憶部１２に設定情報として格納する（Ｓ７）。そして制御部１１は、受信した項目毎情報に係るステータス情報を「設定済み」として、処理を終了する。
【００３５】
さらに制御部１１は、処理Ｓ５において、一部の項目毎情報が複写可能でない場合（Noである場合）は、制御部１１は、ステータス情報を参照して「未設定」である項目毎情報のうち、複写可能とされているものを選択し、選択した対象装置に対して当該選択した項目毎情報を要求する（Ｓ８）。
【００３６】
制御部１１は、項目毎情報が受信されると、当該受信した項目毎情報を、記憶部１２に設定情報として格納する（Ｓ９）。そして制御部１１は、受信した項目毎情報に係るステータス情報を「設定済み」と設定する。
【００３７】
制御部１１は、このまま処理を終了してもよいし、また、予め定めた設定項目に係る項目毎情報のすべてについて、それらのステータス情報が「設定済み」となっていない場合（予め定めた設定項目に係る項目毎情報のすべてが設定完了していない場合）は、処理Ｓ１で取得したリストに、未だ対象装置として選択されていない、さらに他の情報処理装置１があるか否かを判断し、そのような情報処理装置１があれば、処理Ｓ３に戻って、当該情報処理装置１の一つを新たに対象装置として選択し、処理Ｓ４以下の処理を繰り返してもよい。
【００３８】
なお、複写を受け入れる側において設定項目毎に複写するか否かを予め定めるテーブルを記憶部１２に保持しておき、制御部１１は、このテーブルを参照して、複写元となる対象装置側で複写可能とされている項目毎情報であって、かつ、上記テーブルにおいて、複写をすると設定されている項目毎情報のみを取得することとしてもよい。
【００３９】
また、ここまでの説明では、各情報処理装置１の機種については配慮をしていないが、各情報処理装置１は、要求を受けて、機種に関わる情報を送信するようにしてもよい。ここで機種に関わる情報は、例えば、機種名や、取り付けられている装置オプションの種類の情報などである。スキャナ機能、プリンタ機能、複写機としての機能を併せ持つ複合機の装置オプションの例として、ファクシミリ機能の有無や、ハードディスク装置の有無、プリンタのカラー・モノクロの別などの情報がある。
【００４０】
ユーザーの利用形態、環境に合わせた、設定が行われていない情報処理装置１（複写側）における制御部１１は、探索によって見いだされた、設定情報の取得元の候補となる他の情報処理装置１のネットワークアドレスのリストを参照し、このリストにネットワークアドレスが列挙された各情報処理装置１に対して機種に関わる情報を要求する。
【００４１】
各情報処理装置１が、この要求に応答して機種に関わる情報を送信すると、複写側の制御部１１は、当該情報を受信し、記憶部１２に保持されている、自己の機種に関わる情報と、それぞれを比較する。複写側の制御部１１は、この比較の結果、自己の機種に関わる情報に一致する情報を送信した情報処理装置１から、対象装置を選択する。
【００４２】
なお、機種に関わる情報は、例えば、プリンタ、ファクシミリ、スキャナなど機能ごとに複数あってもよい。この場合、複写側の制御部１１は、例えばプリンタに係る設定項目の項目毎情報については、各情報処理装置１が提供する機種に関わる情報のうち、プリンタの機能に係る情報が、自己の機種に関わる情報におけるものと一致するものを選抜し、選抜された情報を送信した情報処理装置１のうちから対象装置を選択してもよい。すなわち、機能ごとに、機種に関わる情報が一致する情報処理装置１を選抜し、当該選抜した情報処理装置１のうちから、機能ごとの設定項目に関わる項目毎情報の取得元である対象装置を選択してもよい。
【００４３】
本実施の形態の情報処理装置は、上述の構成を備えるので、次のように動作する。なお、以下の例では、情報処理装置１ａと１ｂとを設置する場合を例として説明する。
【００４４】
利用者は、情報処理装置１ａ，１ｂを、ネットワークに接続する。そして、まず一方の情報処理装置１ａについて、手作業にて設定を行う。ここではネットワークの設定として、ＩＰアドレス（ネットワークアドレス）の設定や、ホスト名などからネットワークアドレスを解決するＤＮＳ（Domain Name Service）のサーバのネットワークアドレスの設定などがある。また、複写機としての設定や、スキャナ機能の設定（読み取った情報の保存先を表す保存先情報等）を入力する。
【００４５】
この段階で、利用者は動作の確認を行い、特にエラー等なく動作したら、情報処理装置１ａのステータス情報を「設定複写可能」とする。
【００４６】
また利用者は、情報処理装置１ａにおいて、複写を可とする項目毎情報を表すステータス情報を設定する。ここでは例えばネットワークの設定と複写機の機能の設定とを複写可としておくものとする。
【００４７】
利用者は、次に情報処理装置１ｂをネットワークに接続して電源を投入する。情報処理装置１ｂでは、設定されるべき項目毎情報について、対応するステータス情報が「未設定」となっているので、ネットワークを通じて他の情報処理装置１を探索する。ここでは、情報処理装置１ａが見いだされる。
【００４８】
情報処理装置１ｂは、図５に示すように、情報処理装置１ａに対してステータス情報の提供を求める（Ｓ１１）。情報処理装置１ａは、ネットワークの設定と複写機の機能の設定とを複写可としたステータス情報を送信する（Ｓ１２）。
【００４９】
情報処理装置１ｂは、情報処理装置１ａでのすべての項目毎情報が複写可能となっていないので、ネットワークの設定と、複写機の設定とに関わる、複写可能となっている項目毎情報を要求する（Ｓ１３）。
【００５０】
情報処理装置１ａは、要求された項目毎情報であって、対応するステータス情報が「設定複写可能」である項目毎情報を送信する（Ｓ１４）。情報処理装置１ｂでは、この情報を受信し、対応する項目毎情報として記憶して（Ｓ１５）、対応するステータス情報を「設定済み」に設定する。
【００５１】
なお、情報処理装置１ｂにおいて、取得した項目毎情報の内容に応じて、予め定めた処理を行ってもよい。
【００５２】
例えば情報処理装置１ｂは、ネットワークに関する設定のうち、情報処理装置１ａから取得したＩＰアドレス（ネットワークアドレス）の設定が、固定の値である場合、この設定を複写せず、当該値が未設定であることを表す情報を表示してもよい。またこの場合も、ネットワークに関する設定のうち、情報処理装置１ａから取得したＩＰアドレス（ネットワークアドレス）の設定が、ＩＰアドレスを提供するＤＨＣＰ（Dynamic Host Configuration Protocol）サーバへアドレスを要求する設定である場合、情報処理装置１ｂは、当該設定をそのまま複写して記憶してもよい。
【００５３】
さらに、ここまでの説明では、情報処理装置１間で直接的に設定情報を授受しているが、図示しないサーバ装置において、各情報処理装置１の設定情報やステータス情報等を取得して記憶しておき、設定の複写を要求する側の情報処理装置１は、このサーバ装置に対して他の情報処理装置１における設定情報を要求するようにしてもよい。この場合、サーバ装置側で、複写元となる情報処理装置１と同様の処理を行い、要求された設定情報のうち、ステータス情報において「設定複写可能」である設定情報を選択的に提供することとする。
【００５４】
また、図示しないサーバ装置であらかじめ用意した設定情報を、複写元となる情報処理装置１に設定して動作確認した後に、ステータス情報を「設定複写可能」とし、設定の複写を要求する側の情報処理装置１における設定情報を、複写元となる情報処理装置１に要求するようにしてもよい。
【図面の簡単な説明】
【００５５】
【図１】本発明の実施の形態の一例に係る情報処理システムの構成ブロック図である。
【図２】本発明の実施の形態に係る情報処理装置が保持する設定情報の例を表す説明図である。
【図３】本発明の実施の形態に係る情報処理装置が保持するステータス情報の例を表す説明図である。
【図４】本発明の実施の形態に係る情報処理装置が実行する処理のうち一つの例を表すフローチャート図である。
【図５】本発明の実施の形態に係る情報処理システムの動作例を表す流れ図である。
【符号の説明】
【００５６】
１  情報処理装置、１１  制御部、１２  記憶部、１３  操作部、１４  表示部、１５  通信部、１６  インタフェース部、１７  機能部。
【図１】
0005169493.tif 000002
【図２】
0005169493.tif 000003
【図３】
0005169493.tif 000004
【図４】
0005169493.tif 000005
【図５】
0005169493.tif 000006